(57)【要約】【課題】本発明の実施形態は、吸入システム（１００）内を流れる空気流中の腐食成分を測定する空気サンプリングシステム（２００）を提供する。【解決手段】本空気サンプリングシステム（２００）は、その中に複数のサンプリングクーポン（２６５）を固定した空気サンプリングユニット（２３０）を含むことができる。空気サンプリングシステム（２００）の一部は、吸入システム（１００）に対して外部から取付けて、該吸入システム（１００）を作動させながら、オペレータがサンプリングクーポン（２６５）にアクセスするのを可能にすることができる。作動中に、本発明の実施形態は、空気サンプリングシステム（２００）に連結されたサンプリング管路を有し、サンプリング管路内を流れる空気流は、サンプリングクーポン（２６５）上を通過し、次に吸入システム（１００）に還流する。【選択図】      図２
2010025935.tif 000002
【特許請求の範囲】
【請求項１】
吸入システム（１００）用のサンプリングシステム（２００）であって、
前記吸入システム（１００）内を流れる空気流中の腐食成分を測定する１以上のサンプリングユニット（２３０）を含み、前記１以上のサンプリングユニット（２３０）が、
該１以上のサンプリングユニット（２３０）の内部部分にアクセスする蓋（２３５）と、
前記内部部分内に設けられたサンプリング室（２４０）と、
前記サンプリング室（２４０）を通る空気流を移動させるのを助ける空気増幅器（２２０）と、
を含み、前記サンプリング室（２４０）が、
１以上の位置を定めかつ該１以上の位置に１以上のサンプリングクーポン（２６５）を取付けることができるように、該１以上のサンプリングクーポン（２６５）を固定する取付けシステム（２４５）と、
供給管路（２１５）に隣接して設置された上流部分及び吐出管路（２２５）に隣接して設置された下流部分を含みかつ該上流及び下流部分が略前記サンプリング室（２４０）の幅にわたって延びるようにして、前記１以上のサンプリングクーポン上を流れるように前記空気流を導く整流器（２５０）と、
その深さが略前記サンプリング室（２４０）の深さに等しくかつ前記整流器（２５０）の下流部分と前記吐出管路（２２５）との間に設置されるようにして、前記空気流から異物を濾過するフローバランサ（２５５）と、を含み、
前記空気流の一部分が、前記供給管路（２１５）に流入し、前記サンプリング室（２４０）を通って流れ、前記吐出管路（２２５）を介して流出しかつ前記吸入システム（１００）に再流入するようになる、
システム。
【請求項２】
前記１以上のサンプリングユニット（２３０）の外周辺部と前記サンプリング室（２４０）の境界部との間に配置されるようにして、該サンプリング室（２４０）の環境に対する外部気象条件の影響を減少させる断熱材（２６０）をさらに含む、請求項１記載のシステム。
【請求項３】
前記蓋（２３５）が外部セクション及び内部セクションを含み、
前記外部セクションが前記サンプリングユニット（２３０）を囲みかつ前記内部セクションを遮蔽する、
請求項１記載のシステム。
【請求項４】
前記内部セクションが、前記蓋（２３５）を閉鎖した状態で前記サンプリング室（２４０）を観察するのを可能にする透明材料で構成される、請求項３記載のシステム。
【請求項５】
該サンプリングシステム（２００）が、前記吸入システム（１００）の外側に取付けられる、請求項１記載のシステム。
【請求項６】
前記取付けシステム（２４５）が前記サンプリング室（２４０）内に複数のサンプリングクーポン（２６５）を取付けることができる１以上のシェルフを含む、請求項１記載のシステム。
【請求項７】
前記空気流の圧力が約０．５インチ水柱〜約マイナス５．０インチ水柱の範囲を含む、請求項１記載のシステム。
【請求項８】
前記取付けシステム（２４５）が各サンプリングクーポン（２６５）を他のサンプリングクーポン（２６５）から電気的に絶縁する、請求項６記載のシステム。
【請求項９】
前記整流器（２５０）の上流部分と前記供給管路（２１５）との間に設置された第２のフローバランサ（２５５）をさらに含む、請求項１記載のシステム。
【請求項１０】
前記複数のサンプリングクーポン（２６５）が該複数のサンプリングクーポン（２６５）の各々に前記空気流が均一に流れるように配置される、請求項６記載のシステム。
【発明の詳細な説明】
【技術分野】
【０００１】
本発明は、総括的にはターボ機械に流入する空気に関し、より具体的には、吸入システムに流入する空気流をサンプリングするためのシステムに関する。
【背景技術】
【０００２】
それに限定されないが、ガスタービン及び航空機転用エンジンのような幾つかのターボ機械は、流入空気流を圧縮機に向かって送る空気吸入システムを有する。吸入システムは通常、異物及びその他の望ましくない物質を含む空気流を選別除去するフィルタセクションを有する。一般的に、吸入システム及び圧縮機は、その中でターボ機械が作動する環境（周囲条件など）により腐食する可能性がある金属で形成される。工業規格では、環境による腐食速度をモニタする方法が示されている。
【０００３】
これらのターボ機械では、その中で該ターボ機械が作動する周囲条件と関連した微小環境を開発することができる。加速空気流量及び圧力を有するこれらの微小環境は一般的に、圧縮機の部品の腐食速度を増大させる。従って、腐食速度を正確に求めるためには、単に周囲条件を測定して、空気流及び微小環境に対する結論を出してはならない。フィルタセクションの下流の空気流をモニタして、圧縮機部品に対する空気流の環境作用を判定すべきである。
【０００４】
微小環境内で腐食速度を求める１つの方法は、空気流内にストリップ（以下においては「クーポン」）を配置することである。時間の経過と共に、クーポンは、腐食状態になりかつ破損する。使用者は、クーポン及び破損時点をモニタする。クーポンを試験室に送って、破損を引き起こした１種以上の腐食成分を判定することができる。
【０００５】
腐食速度を求める上記の方法について幾つかの懸案事項が存在する。吸入システム内のクーポンは、吸気中で腐食し、遊離しかつ投射物となり、場合によっては圧縮機部品に対して損傷を生じさせる可能性がある。さらに、吸入チャネル内にクーポンを配置することにより、流動歪み波を発生させる可能性があり、この流動歪み波もまたターボ機械部品を損傷させるおそれがある。
【先行技術文献】
【特許文献】
【０００６】
【特許文献１】米国特許第４９７８５０６号明細書
【特許文献２】米国特許第５３５３６５０号明細書
【発明の概要】
【発明が解決しようとする課題】
【０００７】
前述の理由により、吸入システム内を流れる空気流中の腐食成分を測定するシステムに対する必要性が存在する。そのシステムは、吸入システムの腐食速度をモニタするものでなければならない。そのシステムは、使用時に歪み波を発生させてはならない。
【課題を解決するための手段】
【０００８】
本発明の実施形態では、吸入システム用のサンプリングシステムを提供し、本サンプリングシステムは、吸入システム内を流れる空気流中の腐食成分を測定する１以上のサンプリングユニットを含み、１以上のサンプリングユニットは、該１以上のサンプリングユニットの内部部分にアクセスする蓋と、内部部分内に設けられたサンプリング室と、サンプリング室を通る空気流を移動させるのを助ける空気増幅器とを含み、サンプリング室は、１以上の位置を定めかつ該１以上の位置に１以上のサンプリングクーポンを取付けることができるように、該１以上のサンプリングクーポンを固定する取付けシステムと、供給管路に隣接して設置された上流部分及び吐出管路に隣接して設置された下流部分を含みかつ該上流及び下流部分が略サンプリング室の幅にわたって延びるようにして、１以上のサンプリングクーポン上を流れるように空気流を導く整流器と、その深さが略サンプリング室の深さに等しくかつ整流器の下流部分と吐出管路との間に設置されるようにして、空気流から異物を濾過するフローバランサとを含み、空気流の一部分が、供給管路に流入し、サンプリング室を通って流れ、吐出管路を介して流出しかつ吸入システムに再流入するようになる。
【０００９】
本発明のこれらの及びその他の特徴、態様並びに利点は、図面全体を通して同じ参照符号が同様の要素を表わしている添付図面を参照して以下の詳細な説明を読むことにより、一層良好に理解されるようになるであろう。
【図面の簡単な説明】
【００１０】
【図１】本発明の実施形態が作動することができる環境を示す概略図。
【図２】本発明の実施形態による空気サンプリングシステムの斜視図を示す概略図。
【図３】本発明の実施形態による、サンプリングクーポンを取付けていない状態での空気サンプリングシステムの斜視図を示す概略図。
【図４】本発明の実施形態による、サンプリングクーポンを取付けた状態での空気サンプリングシステムの斜視図を示す概略図。
【発明を実施するための形態】
【００１１】
好ましい実施形態の以下の詳細な説明は、本発明の特定の実施形態を示す添付図面を参照している。異なる構造及び作動を有するその他の実施形態も、本発明の技術的範囲から逸脱するものではない。
【００１２】
本明細書では、専ら読者の便宜のために特定の用語を使用しており、本発明の技術的範囲に対する限定として捉えるべきではない。例えば、「上部」、「下部」、「左側」、「右側」、「前方」、「後方」、「頂部」、「底部」、「水平方向」、「垂直方向」、「上流側」、「下流側」、「前部」、「後部」及び同様のもののような用語は、図に示す構成を単に説明しているに過ぎない。実際に、本発明の実施形態の１以上の要素は、あらゆる方向に配向することができ、従って、特に明記しない限り、この用語は、種々の変形形態を含むものとして理解されたい。
【００１３】
本発明の実施形態は、ターボ機械の吸入システム内を流れる空気流中の腐食成分を測定する空気サンプリングシステムを提供する。本空気サンプリングシステムは、その内部に複数のサンプリングクーポンを固定した空気サンプリングユニットを含むことができる。空気サンプリングユニットの一部は、吸入システムに対して外部から取付けて、ターボ機械が作動状態にある間に、オペレータがサンプリングクーポンにアクセスするのを可能にすることができる。
【００１４】
作動中に、本発明の実施形態は、空気サンプリングユニットに連結されたサンプリング管路を有し、サンプリング管路内を流れる空気流は、サンプリングクーポン上を通過し、次に吸入システムに還流する。クーポンは、モニタされ、次に空気流中の腐食成分のレベルを判定するために取り外される。クーポンの腐食速度は、ブレード及びその他の部品のような圧縮機部品上に発生した点食（ピッチング）に相関させることができる。この相関関係は、ターボ機械の保守整備スケジュールなどを作成するのに役立てることができる。
【００１５】
次に、幾つかの図全体を通して様々な参照符号が同様の要素を表わしている図を参照すると、図１は、本発明の実施形態が作動することができる環境を示す概略図である。図１は、一般的にはターボ機械（図示せず）の圧縮機１４５と統合されている吸入システム１００を示す。以下の説明は、吸入システム１００の一般的な構成の概要を示しているが、本発明は、図には示していない吸入システム１００のその他の構成で使用することもできる。
【００１６】
吸入システム１００には、圧縮機１４５によって引き込まれた空気流が流れる。空気流は通常、その中でターボ機械が作動する環境から供給される。最初に、空気流は、ウェザフード１０５の周りを流れ、ウェザフード１０５は、雨、雪などのような気候要素が圧縮機１４５に流入するのを防止することができる。空気流は次に、吸入フィルタハウジング１１０を通って流れ、吸入フィルタハウジング１１０により一般的に、空気流から異物及び塵を除去することができる。次に、空気流は、それに限定されないが、水洗システムのような冷却モジュール１１５を通って流れることができる。次に、空気流は、トランジションピース１２０及び吸入ダクト１２５を通って流れ、これらの部品により、空気流の速度及び圧力を調整することができる。次に、空気流は、消音器セクション１３０を通って流れることができる。次に、空気流は、吸入ブリード加熱システム１３５を通って流れ、吸入ブリード加熱システム１３５により一般的に、該空気流の温度を上昇させた後に圧縮機１４５に流入させることができる。塵よけスクリーン１４０又は同様のものは、吸入ダクト１２５の下流に設置することができ、一般的には塵が圧縮機１４５に流入するのを防止する働きをする。
【００１７】
本発明の実施形態では、複数の空気サンプリングシステム２００を設けることができ、各システム２００は、吸入システム１００上の様々な位置に配置される。図１に示すように、第１の空気サンプリングシステム２００は、吸入フィルタハウジング１１０の上流に配置することができ、第２の空気サンプリングシステム２００は、吸入フィルタハウジング１１０の下流に配置することができ、また第３の空気サンプリングシステム２００は、吸入消音器セクション１３０の下流に配置することができる。
【００１８】
図２は、本発明の実施形態による空気サンプリングシステム２００の斜視図を示す概略図である。空気サンプリングシステム２００の実施形態の部品には、複数の換気孔２１０を有することができるウェザフード２０５と、空気流供給管路２１５と、空気増幅器２２０と、空気流吐出管路２２５と、蓋２３５を有するサンプリングユニット２３０とを含むことができる。
【００１９】
図２〜図４に示すように、ウェザフード２０５は、それに限定されないが、太陽、雨、みぞれ、雪、あられ又は同様のもののような要素からサンプリングユニット２３０の一部分を遮蔽することができる。換気孔２１０は、ウェザフード２０５の一側面又は両側面上に存在させることができ、サンプリングユニット２３０の周りでの空気循環を増加させることができる。ウェザフード２０５は、その中にサンプリングユニット２３０が露出した環境に耐えることができるあらゆる材料で形成することができる。例えば、それに限定されないが、ウェザフード２０５は、ステンレス鋼、プラスチック又は同様のもので形成することができる。
【００２０】
供給管路２１５は、吸入システム１００の内部部分をサンプリングユニット２３０と結合する働きをする。供給管路２１５は、吸入システム１００に連結された第１の端部及びサンプリングユニット２３０の吸入部分に連結された第２の端部を含むことができる。供給管路２１５は、吸入システム１００及び空気サンプリングシステム２００の作動環境に耐えることができるあらゆる材料で形成することができる。供給管路２１５は、サンプリングユニット２３０に流入する空気流の所望の圧力、流量及び速度が得られるような寸法にすることができる。
【００２１】
吐出管路２２５は、サンプリングユニット２３０の吐出部分を吸入システム１００と結合する働きをする。吐出管路２２５は、吸入システム１００に連結された第１の端部及びサンプリングユニット２３０の出口部分に連結された第２の端部を含むことができる。吐出管路２２５は、吸入システム１００及び空気サンプリングシステム２００の作動環境に耐えることができるあらゆる材料で形成することができる。吐出管路２２５は、サンプリングユニット２３０から流出する空気流の所望の圧力、流量及び速度が得られるような寸法にすることができる。本発明の実施形態は、空気増幅器２２０を備えた吐出管路２２５を含むことができる。空気増幅器２２０は、サンプリングユニット２３０を通して空気流を移動させる働きをする。空気増幅器２２０は、例えば、それに限定されないが、図３及び図４に示しかつ下記に説明するサンプリングクーポン２６５上に空気流を引き込むサクションファンの形態を取ることができる。空気増幅器２２０の物理的特性は一般的に、その中で空気サンプリングシステム２００が作動する吸入システム１００及びターボ機械のタイプによって決定される。本発明の実施形態では、空気増幅器２２０は、ターボ機械サイトでは普通である加圧空気供給源のみを必要とすることになる。
【００２２】
サンプリングユニット２３０により、空気サンプリングシステム２００が吸入システム１００から空気流を取出し、該空気流を複数のサンプリングクーポン２６５上に分配し、次に該空気流を吸入システム１００内に再噴射することが可能になる。蓋２３５により、サンプリングユニット２３０が空気流中の腐食成分を測定するためのシール環境を形成することが可能になる。本発明の実施形態では、蓋２３５は、透明な材料で形成することができる。この場合、使用者は、蓋２３５を開かない状態でサンプリングクーポン２６５を観察することができる。蓋２３５はまた、ターボ機械が作動している間に使用者がサンプリングクーポン２６５を取り外し及び／又は交換するのを可能にする。
【００２３】
本発明の別の実施形態では、蓋２３５は、外部セクション及び内部セクションを含む。この場合、外部セクションは、サンプリングユニット２３０を囲む働きをすることができ、全体的カバーとなる。外部セクションは、内部セクションを保護しかつサンプリングユニット２３０の内部部品を遮蔽する材料で形成することができる。この材料は、例えば、それに限定されないが、サンプリングユニット２３０の外部部分と同じ材料とすることができる。外部セクションは、サンプリングユニット２３０を露出させることができる環境作用から保護することができる。これらの作用は、例えば、それに限定されないが、紫外線、放射熱、塵、降水又はそれらの組合せである可能性がある。
【００２４】
蓋２３５のこの実施形態の内部セクションは、サンプリングユニット２３０の外部セクションと内部部品との間でのシースルーバリヤとして機能させることができる。内部セクションは、サンプリングユニット２３０内のシーリング環境を維持するのを助けることができる。内部セクションは、環境に露出させないでサンプリング室の内部部品を観察するのを可能にする透明な材料で形成することができる。
【００２５】
この別の実施形態では、空気サンプリングシステム２００の一体性を損なわずに、使用者が、サンプリングユニット２３０の内部部品を観察することが可能になる。この場合、空気サンプリングシステム２００のシーリングを維持することができる。
【００２６】
次に図３及び図４を参照する。図３は、本発明の実施形態による、蓋２３５を取り外した状態でのかつサンプリングクーポン２６５を取付けていない状態での図２のサンプリングユニット２３０の斜視図を示す概略図である。図４は、本発明の実施形態による、蓋２３５を取り外した状態でのかつサンプリングクーポン２６５を取付けた状態での図２のサンプリングユニット２３０の斜視図を示す概略図である。
【００２７】
サンプリングユニット２３０は、サンプリング室２４０と、取付けシステム２４５と、整流器２５０と、フローバランサ２５５と、断熱材２６０と、サンプリングクーポン２６５（図４に示す）とを含むことができる。サンプリング室２４０は、サンプリングユニット２３０内で空気流がサンプリングクーポン２６５と接触する領域と考えることができる。サンプリング室２４０は、１以上のサンプリングクーポン２６５を固定することができる１以上の取付けシステム２４５を有することができる。サンプリング室２４０は、空気流が各サンプリングクーポン２６５を横切って均一に流れるのを可能にするのに十分なほど大きい面積を含む。サンプリング室２４０は一般的に、空気流がその全体内に流れるのを可能にする。整流器２５０により、サンプリング室２４０の前部及び後部境界壁を形成することができる。整流器２５０は、サンプリングユニット２３０内での圧力低下を付加しかつ空気流の流量をバランスさせるのを助けて、サンプリングクーポン２６５を横切る均一な流れを可能にする。整流器２５０は、それに限定されないが、例えばメッシュスクリーン、ハニカム流れ分離器、有孔シート又は同様のものの形態を有することができる。整流器２５０の幅は、サンプリング室２４０の幅と同じとすることができる。
【００２８】
本発明の別の実施形態では、整流器２５０は、前部部分と、後部部分と、前部及び後部部分間のフィルタセクションとを含む。この場合、フィルタセクションは、空気流中の及び／又はサンプリングクーポン２６５上の塵の幾らかを捕捉する働きをする。
【００２９】
上流側フローバランサ２５５は、供給管路２１５に隣接して設置することができ、また下流側フローバランサ２５５は、吐出管路２２５（図２に示す）に隣接して設置することができる。各フローバランサ２５５は、例えば、それに限定されないが、ワイヤメッシュスクリーンの形態を有することができる。フローバランサ２５５は、流れを均一な状態でサンプリングクーポン２６５上に導くことができる。上流側フローバランサ２５５はまた、塵及びその他の異物がサンプリングクーポン２６５に衝突するのを防止することができる。下流側フローバランサ２５５もまた、サンプリングユニット２３０内の塵及びその他の異物がサンプリング室２４０から流出しかつ吸入システム１００に流入するのを防止することができる。各フローバランサ２５５の寸法は、供給管路２１５又は吐出管路２２５の直径に対応するのに充分なものとすることができる。
【００３０】
サンプリングユニット２３０は、前述の部品を収納するボックスの形態を有することができる。本発明の別の実施形態では、サンプリングユニット２３０は、双設壁間に断熱材２６０を備えた二重壁構造の形態を有することができる。この場合、図３及び図４に示すように、金属フランジが双設壁を結合しかつ断熱材２６０の一部分を覆うことができる。断熱材２６０により、外部熱からサンプリング室２４０を断熱するのを保証することができる。断熱材２６０は、サンプリング室２４０を、空気流が導出される吸入システム１００の領域と同じ温度及び湿度に維持するのを助けることができる。断熱材２６０は、例えば、それに限定されないが、ロックウールタイプの材料又は同様のものの形態を有することができる。本発明の実施形態では、断熱材２６０は、約２５ミリメートル〜約７５ミリメートルの厚さを有することができる。
【００３１】
図４に示すように、サンプリングクーポン２６５は、矩形形状を有することができ、かつ取付けシステム２４５に取付けられる。取付けシステム２４５は、サンプリングクーポン２６５を、各サンプリングクーポン２６５が他のサンプリングクーポン２６５から電気的に絶縁されるように配置することができる。取付けシステム２４５の実施形態は、サンプリングクーポン２６５を、例えば、それに限定されないが、垂直構成として配置することができる。
【００３２】
本発明の実施形態は、それに限定されないが、炭素鋼、合金鋼、銅、アルミニウム、亜鉛、その他の合金又は同様のもののような材料で製作したサンプリングクーポン２６５を使用することができる。本発明の実施形態では、約５０個のサンプリングクーポン２６５を固定することができる取付けシステム２４５を備えたサンプリングユニット２３０を設けることができる。本発明の実施形態のサンプリングユニット２３０は、異なるタイプの材料で形成された様々なタイプのサンプリングクーポン２６５を含むことができる。このことは、使用者が、空気流中に存在する様々なタイプの腐食成分についてのデータを収集するのを可能にすることができる。このことはまた、使用者が、圧縮機１４５部品材料で形成したサンプリングクーポン２６５を使用するのを可能にすることができる。
【００３３】
使用中に、吸入システム１００の一部分、サンプリングユニット２３０、供給管路２１５及び吐出管路２２５は、閉ループ流れ経路を形成するように連結される。空気増幅器２２０は一般的に、サンプリングユニット２３０を、吸入システム１００内の圧力と同じ圧力に保つようにする。サンプリングユニット２３０は、各サンプリングクーポン２６５上を流れる空気流の僅かな部分を受けることができる。最終的に、空気流中の腐食成分は、サンプリングクーポン２６５を破損させることになる。フローバランサ２５５により、１以上の破損サンプリングクーポン２６５が吸入システム１００に流入するのが防止される。ターボ機械が作動している状態で、使用者は、その破損クーポン２６５を新しいクーポン２６５と交換することができる。破損クーポン２６５を分析して、例えば、それに限定されないが、空気流中の腐食成分のタイプ及び過酷度を判定することができる。
【００３４】
本発明の実施形態では、供給管路からの空気流の流量は、約１００ｌｂ／ｓｅｃ〜約２０００ｌｂ／ｓｅｃの範囲にある。供給管路２１５がサンプリング室２４０に流入する場所に隣接した位置における圧力は、およそ周囲圧力〜約０．５インチ水柱の範囲にすることができる。サンプリングユニット２３０に吐出管路２２５を連結した場所に隣接した位置における圧力は、約１．０インチ水柱〜約３．０インチ水柱の範囲にすることができる。サンプリング室２４０内における空気流の流量は、ボックス内のサンプリングクーポン２６５の数に応じて変化し、約１０ＣＦＭ〜約１００ＣＦＭの範囲にすることができる。サンプリングユニット２３０は、前述の圧力及び流量、並びにそれに対してサンプリングユニット２３０を露出させることができる環境要素に耐えることができる１つの又は複数のあらゆる材料で形成することができる。例えば、それに限定されないが、サンプリングユニット２３０の実施形態は、ステンレス鋼で形成することができる。
【００３５】
本発明はその幾つかの例示的な実施形態のみに関してかなり詳細に図示しかつ説明してきたが、本発明の新規な教示及び利点から実質的に逸脱することなく、特に前述の教示に照らして、開示した実施形態に対して様々な変更、省略及び付加を行うことができるので、本発明をそれらの実施形態に限定することを意図するものではないことを当業者には理解されたい。従って、提出した特許請求の範囲で定まる本発明の技術思想及び技術的範囲内に含むことができる全てのそのような変更、省略、付加及び均等物を保護することを意図している。
【符号の説明】
【００３６】
１００  吸入システム
１０５  ウェザフード
１１０  吸入フィルタハウジング
１１５  冷却モジュール
１２０  トランジションピース
１２５  吸入ダクト
１３０  消音器セクション
１３５  吸入ブリード加熱
１４０  塵よけスクリーン
１４５  圧縮機
２００  空気サンプリングシステム
２０５  ウェザフード
２１０  換気孔
２１５  供給管路
２２０  空気増幅器
２２５  吐出管路
２３０  サンプリングユニット
２３５  蓋
２４０  サンプリング室
２４５  マウント
２５０  整流器
２５５  フローバランサ
２６０  断熱材
２６５  サンプリングクーポン
【図１】
2010025935.tif 000003
【図２】
2010025935.tif 000004
【図３】
2010025935.tif 000005
【図４】
2010025935.tif 000006